(57)【要約】      （修正有）【課題】お店や事業所の休日をしっかり一般顧客に伝達し、無駄を省き、顧客の信頼を得る、休日表示システムを提供する。【解決手段】携帯電話又はＰＣで利用可能なｗｅｂ上のサイトに於いて、不特定多数の店舗又は事業所等の休日を一般顧客に案内する携帯電話又はＰＣ向き用のシステムであって、各店舗又は各事業所は個々に自由に参加可能であり、ｗｅｂ上のサイトにアクセスしパスワードを設定し参加ＩＤを取得し、サイト上に表示されているカレンダーに上記各店舗又は上記各事業所の定休日又は臨時休業日を入力し、更に店名、住所、経営者名、電話番号等の基本的情報を入力する事が可能であり、そして、一方一般顧客は、上記ｗｅｂ上のサイトにアクセスし、知り得ている店名、又は住所電話番号等の基本的情報の内の少なくとも一つ又は組み合わせから各店舗又は各事業所を特定し、休みかどうか等をカレンダー上で確認する。【選択図】図１
2012138054.tif 000002
【特許請求の範囲】
【請求項１】
携帯電話又はＰＣで利用可能なｗｅｂ上のサイトに於いて、不特定多数の店舗又は事業所等が自由に参加可能であって、その店舗又は事業所の定休日又は臨時休業日等を、前記サイトのカレンダーの中に掲載可能な様にし、携帯電話又はＰＣを扱う人誰でもが自由に、自分が行きたい店や事業所が休みかどうか等を検索し且つ確認する事が可能な事を特徴とする休日表示システム。
【請求項２】
携帯電話又はＰＣで利用可能なｗｅｂ上のサイトに於いて、不特定多数の店舗又は事業所等の休日を一般顧客に案内する携帯電話又はＰＣ向き用のシステムであって、各店舗又は各事業所は個々に自由に参加可能であり、ｗｅｂ上のサイトにアクセスしパスワードを設定し参加ＩＤを取得し、サイト上に表示されているカレンダーに上記各店舗又は上記各事業所の定休日又は臨時休業日を入力し、更に店名、住所、経営者名、電話番号等の基本的情報を入力する事が可能であり、そして、一方一般顧客は、上記ｗｅｂ上のサイトにアクセスし、知り得ている店名、又は住所電話番号等の基本的情報の内の少なくとも一つ又は組み合わせから各店舗又は各事業所を特定し、休みかどうか等をカレンダー上で確認可能な様にされた事を特徴とする休日表示システム。
【請求項３】
上記システムで、参加店舗又は参加事業所は定休日又は臨時休業日を入力し、更に住所、名前、電話番号等の項目を基本的情報として入力する事に関して参加をフリーとし、それ以上の付加情報、即ち宣伝画像・動画その他を有料とした事を特徴とする請求項１又は２の何れか１項に記載の休日表示システム。
【請求項４】
前記請求項３のシステムを使用してビジネス展開をする事を特徴とするビジネスモデルシステム。
【発明の詳細な説明】
【技術分野】
【０００１】  本発明は、携帯電話又はＰＣ（パーソナルコンピューター）で利用可能なｗｅｂ上のサイトに於ける不特定多数の店舗又は事業所が参加可能な休日を表示するシステムで、且つ、一般顧客誰でもが、自由に自分の行きたい店や事業所が休みかどうかを確認出来るシステムに関する。及びそのシステムを使用したビジネスモデルシステムにも関する。
【背景技術及び発明が解決しようとする課題】
【０００２】  例えば食事をしようとレストランに行ってもお休みであったりすると、何か腹立たしくなったり無駄足をさせられたような気がして気分を悪くしたりする。たまに行く所では電話番号も忘れていたり、携帯電話に登録もしていなかったりする。予めＰＣでその店のホームページを見て用意しておくのも面倒であり、臨時休業の場合はホームページにも載っていない方が多く、行って見て解るという様な無駄なエネルギーを使わなければならないことが多かった。そして、店や事業所の休日だけを表示するシステムは未だに提供されていないのが現状であります。
【発明の開示】
【課題を解決するための手段】
【０００３】  本発明は、無駄足をしないように、又は無駄なエネルギーを使わない為に、携帯電話又はＰＣで利用可能なｗｅｂ上のサイトに於いて、不特定多数の店舗又は事業所等が自由に参加可能であって、その店舗又は事業所の定休日又は臨時休業日を、前記サイトのカレンダーの中に掲載可能な様にし、携帯電話又はＰＣを扱う人誰でもが自由に、自分が行きたい店や事業所が、休みかどうか等を検索し且つ確認する事が可能な事を特徴とする休日表示システムの提供を図った。【０００４】  更に、携帯電話又はＰＣで利用可能なｗｅｂ上のサイトに於いて、不特定多数の店舗又は事業所等の休日を一般顧客に案内する携帯電話又はＰＣ向き用のシステムであって、各店舗又は事業所は個々に自由に参加可能であり、ｗｅｂ上のサイトにアクセスしパスワードを設定しＩＤを取得し、サイト上に表示されているカレンダーに自店又は自事業所の定休日又は臨時休業日を入力し、更に店名、住所、経営者名、電話番号等の基本的情報を入力する事が可能であり、そして、一方一般顧客は、上記ｗｅｂ上のサイトにアクセスし、知り得ている店名、又は、住所電話番号等の基本的情報の内の少なくとも一つ又は組み合わせから各店舗又は事業所を特定し、休みかどうか等をカレンダー上で確認可能な様にされた事を特徴とする休日表示システムの提供を図った。【０００５】  そして、上記システムで、参加店舗又は事業所の定休日又は臨時休業日を入力し、更に住所、名前、電話番号等の項目を基本的情報として入力する事に関して参加をフリーとし、それ以上の付加情報、即ち宣伝映像・動画その他を有料とした休日表示システムとした。【０００６】  そして、更に、上記休日表示システムを使用してビジネス展開をする事を特徴とするビジネスモデルシステムの提供。
【発明の効果】
【０００７】  本発明の上記休日表示システムを採用する事により、どの様な店舗、事業所でも自由に携帯電話又はＰＣで利用可能なｗｅｂ上の休日表示サイトに自分の店や事業所の休日を書き込む事が可能となり、そして、一般の顧客は何時でも自由にそれを簡単に検索し表示する事が可能となった。一般顧客は無駄足を運ばずに済み、お店側としては、顧客に嫌な思いをさせずに済む事となる。
【図面の簡単な説明】
【０００８】
【図１】本発明の携帯電話に於ける待ち受け及び検索画面
【図２】図１からの検索結果画面
【図３】本発明の参加フリーのお店・事業所用の申し込み画面
【図４】本発明のお店・事業所の休日及び基本的情報の入力画面
【図５】本発明のお店・事業所の広告入力画面
【図６】本発明のお店・事業所の広告入力画面
【発明を実施するための最良の形態】
【０００９】  携帯電話又はＰＣで利用可能なｗｅｂ上のサイトに於いて、不特定多数の店舗又は事業所等の休日を一般顧客に案内する携帯電話又はＰＣ向き用のシステムであって、各店舗又は事業所は個々に自由に参加可能であり、ｗｅｂ上のサイトにアクセスしパスワードを設定しＩＤを取得し、サイト上に表示されているカレンダーに自店又は自事業所の定休日又は臨時休業日を入力し、更に店名、住所、経営者名、電話番号等の基本的情報を入力する事が可能であり、そして、一方一般顧客は、上記ｗｅｂ上のサイトにアクセスし、知り得ている店名、又は、住所電話番号等の基本的情報の内の少なくとも一つ又は組み合わせから各店舗又は事業所を特定し、休みかどうかをカレンダー上で確認可能な様にされた事を特徴とする休日表示システム。
【実施例１】
【００１０】  以下携帯電話を使用した実施例を図により説明する。これはＰＣ（パーソナルコンピューター）を使用した場合でも同じである。【００１１】  先ず図１は、ｗｅｂ上の休日表示システムサイトにアクセスした画面であり、アクセスした当日がカレンダー（１０）上に表示され、一般顧客の方は行きたいお店の休日を簡単入力で検索出来、そして、お店（又は事業所）を経営している方で店の休日を登録したい方は誰でも簡単に加入・入力出来るように案内される。【００１２】  一般の顧客は、自分の知り得ている情報の一つ又はその断片、又は二つ以上の情報の組み合わせで入力していく事により、そのお店の休日、及び基本的情報、例えば、営業時間、電話番号、ホームページアドレス等を表示させる事が可能となる。【００１３】  図２は、一般顧客が調べたお店がヒットしなかった場合（２１）（これは参加していないお店）とヒットした場合（２２）の画面表示であり、ヒットした画面（２２）は、料金フリーで参加されたお店の基本的情報、及び、広告入り有料のお店の基本情報と広告が表示される。先ずこの図の例としては、当月から３か月分のカレンダー及びそのカレンダーの中に於ける当日の表示とそのお店の休日の表示、これは色、網掛等の手段でもマーク表示でも良い。又、定休日、臨時休業日等で色、マークを変えても良い。そして、加えてそのお店の住所、電話番号、通常営業時間の案内、ホームページへのリンク、代表者名（店長名）等のそのお店に関する基本的事項を表示して、一般の顧客にアピールする事が出来る。そうする事により、一般顧客は無駄足をせずに済み、お店は評判を落とさずに済む事となる。【００１４】  更に、図３は参加自由（無料）のお店用の申し込み画面であり基本的お店の情報を入力し、パスワード（３１）、参加ＩＤ（３２）を取得する。【００１５】  そして、図４は、お店用の休日入力画面であり、パスワード（３１）、参加ＩＤ（３２）を入力する。カレンダー上に、直接又は間接的に定休日、臨時休業日を入力する。営業時間、予約状況もある程度まで入力表示出来るようにしても良い。【００１６】  図５及び６は、広告を有料で出したお店の方の申し込み画面である。この部分の費用でこのサイトの運営を図って行く事となる。【００１７】  上記本発明の休日表示システムは、店は勿論、会社、催事の休日も表示可能であり、その運用も各都道府県単位、又は地域（関東、関西、北陸等）単位の運用も可能であり、新しいビジネスモデルとしても大いに発展する可能性を秘めている。【００１８】  そして本Ｗｅｂサイトは、クラウドコンピューティング上であっても良い。
【符号の説明】
【００１９】１０                      カレンダー
２１                      検索結果
２２                      検索結果
３１                      パスワード
３２                      参加ＩＤ
【図１】
2012138054.tif 000003
【図２】
2012138054.tif 000004
【図３】
2012138054.tif 000005
【図４】
2012138054.tif 000006
【図５】
2012138054.tif 000007
【図６】
2012138054.tif 000008